(57)【要約】
【課題】  職人技を要せず、簡単かつ迅速、安全に畳表を交換することができて、手軽に畳表を日光に干したり、デザイン性の高い畳表に交換することができる畳を提供する。
【解決手段】  畳１Ａは、畳床２と、この畳床２の上面に取り付けられる畳表３ａとを有しており、この畳表３ａを構成する経糸（たていと）方向における両端部の裏面に、スライドファスナー４を構成するファスナーテープ４１の一方を縫着すると共に、他方のファスナーテープ４１を畳床２の長さ方向における両端部の側面に縫着して前記畳表３ａの両端部裏面位置で前記スライドファスナー４の開閉を可能とし、かつ、畳床２の各辺の端部上面と畳表３ａの各辺の端部裏面とを面ファスナー５によって着脱自在に密着する。
【選択図】  図１
0003101252.tif 000002
【実用新案登録請求の範囲】
【請求項１】
畳床と、この畳床の上面に取り付けられる畳表とを有しており、この畳表を構成する経糸（たていと）方向における両端部の裏面に、スライドファスナーを構成するファスナーテープの一方を縫着すると共に、他方のファスナーテープを畳床の長さ方向における両端部の側面に縫着して前記畳表の両端部裏面位置で前記スライドファスナーの開閉を可能とし、かつ、畳床の各辺の端部上面と畳表の各辺の端部裏面とをマジックテープによって着脱自在に密着することを特徴とする交換容易な畳表を備えた畳。
【請求項２】
請求項１において、畳表に縫着したファスナーテープは、前記畳表の経糸方向における端部から中央側に向けて縫着され、途中から端部側へ折り返されてスライドファスナーのエレメントを端部側に向けて配置されていることを特徴とする交換容易な畳表を備えた畳。
【請求項３】
畳床と、この畳床の上面に取り付けられる畳表とを有しており、この畳表の経糸方向における両端部の裏面から畳床の長さ方向における両側面にスライドファスナーのエレメントが垂れるように一方のファスナーテープを前記畳表の両端部裏面に縫着し、他方のファスナーテープを畳床の長さ方向の両端部の側面に縫着し、この畳床の両側面位置で前記スライドファスナーの開閉を可能とし、かつ、畳床の各辺の端部上面と畳表の各辺の端部裏面とをマジックテープによって着脱自在に密着することを特徴とする交換容易な畳表を備えた畳。
【請求項４】
請求項１から請求項３のいずれかにおいて、畳床の長さ方向に沿った両縁部の側面に、畳縁（たたみべり）の下部分を縫着すると共に、この畳縁の上部分の内側面およびこれに対応する畳表の両縁部表面にマジックテープを取り付けて畳縁を取り付けるようにしたことを特徴とする交換容易な畳表を備えた畳。
【請求項５】
請求項１から請求項３のいずれかにおいて、畳縁の上部分を畳表の経糸に平行な両端部の上面に縫着し、その畳縁の下部分における内側面およびこれに対応する畳床の両縁部側面にマジックテープを取り付けて畳縁を取り付けるようにしたことを特徴とする交換容易な畳表を備えた畳。
【請求項６】
畳床と、この畳床に取り付けられる畳表とを有しており、この畳表の経糸方向の長さを、畳床の長さ方向の表面および長さ方向の両端部の側面を覆うことができる長さに形成すると共に、畳表の経糸と直交する方向の長さを、畳床の幅方向の表面および幅方向の両端部の側面を覆うことができる長さに形成し、前記畳表の経糸方向の両端部裏面にスライドファスナーの一方のファスナーテープを縫着し、他方のファスナーテープを畳床の裏面に縫着し、この畳床の裏面位置で前記スライドファスナーの開閉を可能とし、かつ、前記畳表の経糸に直交する方向の両端部裏面およびこれに対応する畳床の幅方向両端側面とをマジックテープによって着脱自在に密着することを特徴とする交換容易な畳表を備えた畳。
【考案の詳細な説明】
【技術分野】
【０００１】
本考案は、交換容易な畳表を備えた畳に係り、特に、手軽に畳表を日光に干したり、デザイン性の高い畳表等を作って自由に取り替えて楽しむのに好適な畳に関するものである。
【背景技術】
【０００２】
従来より、畳は、畳床とその上に被せられる畳表とから構成されており、この畳表を熟練した畳職人の手によって畳床に縫い付けるようになっている。そして、畳表を交換する場合には、畳糸を切断して畳表を取り外し、裏返したり新品の畳表に交換した後、再び畳職人による縫い付け作業が行われる。しかしながら、畳職人による縫い付け作業は、コストや時間がかかるため、気軽に畳表を交換できないという現状がある。
【０００３】
このような現状の問題を解決するものとして、例えば、特開２００１−２００６２８号公報に記載のものが提案されている（特許文献１）。この発明は、第１の係留具によって畳表を畳床のかまち方向端部における側面または底面に固定するとともに、第２の係留具によって畳縁を畳床の幅方向端部における上面に固定し、前記畳縁を第２の係留具を被覆するように折り返した後、第３の係留具によって畳床の側面または底面に固定する。そして、帯状締結部材をループ状に緊縛することで畳表を畳床に締結するようになっている。この縁付畳によれば、誰にでも畳表の交換をすることができるとされる。
【０００４】
【特許文献１】特開２００１−２００６２８号公報
【考案の開示】
【考案が解決しようとする課題】
【０００５】
しかしながら、特開２００１−２００６２８号公報に記載された発明においては、鋭利な係留具やこの係留具を打ち付ける打撃具を使用するため、特に小さな子供のいる家庭では、子供が怪我をしないように気を付けなければならない。また、畳表や畳縁を固定する際には、位置合わせ作業をする必要があるし、誤った位置に固定してしまった場合にはやり直さなければならず、非常に煩わしいという問題がある。さらに、近年、デザイン性の高い畳表が各種提案されており、このような畳表を気分に応じて自由自在に交換したいというニーズが高まっている。
【０００６】
本考案は、このような問題点を解決するためになされたものであって、職人技を要せず、簡単かつ迅速、安全に畳表を交換することができて、手軽に畳表を日光に干したり、デザイン性の高い畳表に交換することができる畳を提供することを目的としている。
【課題を解決するための手段】
【０００７】
本考案に係る畳の特徴は、畳床と、この畳床の上面に取り付けられる畳表とを有しており、この畳表を構成する経糸（たていと）方向における両端部の裏面に、スライドファスナーを構成するファスナーテープの一方を縫着すると共に、他方のファスナーテープを畳床の長さ方向における両端部の側面に縫着して前記畳表の両端部裏面位置で前記スライドファスナーの開閉を可能とし、かつ、畳床の各辺の端部上面と畳表の各辺の端部裏面とをマジックテープによって着脱自在に密着する点にある。
【０００８】
また、本考案において、畳表に縫着したファスナーテープは、前記畳表の経糸方向における端部から中央側に向けて縫着され、途中から端部側へ折り返されてスライドファスナーのエレメントを端部側に向けて配置されていることが好ましい。
【０００９】
また、本考案に係る畳の特徴は、畳床と、この畳床の上面に取り付けられる畳表とを有しており、この畳表の経糸方向における両端部の裏面から畳床の長さ方向における両側面にスライドファスナーのエレメントが垂れるように一方のファスナーテープを前記畳表の両端部裏面に縫着し、他方のファスナーテープを畳床の長さ方向の両端部の側面に縫着し、この畳床の両側面位置で前記スライドファスナーの開閉を可能とし、かつ、畳床の各辺の端部上面と畳表の各辺の端部裏面とをマジックテープによって着脱自在に密着する点にある。
【００１０】
また、本考案において、畳床の長さ方向に沿った両縁部の側面に、畳縁（たたみべり）の下部分を縫着すると共に、この畳縁の上部分の内側面およびこれに対応する畳表の両縁部表面にマジックテープを取り付けて畳縁を取り付けるようにしてもよい。
【００１１】
さらに、本考案において、畳縁の上部分を畳表の経糸に平行な両端部の上面に縫着しておき、その畳縁の下部分における内側面およびこれに対応する畳床の両縁部側面にマジックテープを取り付けて畳縁を取り付けるようにしてもよい。
【００１２】
また、本考案に係る畳の特徴は、畳床と、この畳床に取り付けられる畳表とを有しており、この畳表の経糸方向の長さを、畳床の長さ方向の表面および長さ方向の両端部の側面を覆うことができる長さに形成すると共に、畳表の経糸と直交する方向の長さを、畳床の幅方向の表面および幅方向の両端部の側面を覆うことができる長さに形成し、前記畳表の経糸方向の両端部裏面にスライドファスナーの一方のファスナーテープを縫着し、他方のファスナーテープを畳床の裏面に縫着し、この畳床の裏面位置で前記スライドファスナーの開閉を可能とし、かつ、前記畳表の経糸に直交する方向の両端部裏面およびこれに対応する畳床の幅方向両端側面とをマジックテープによって着脱自在に密着する点にある。
【考案の効果】
【００１３】
本考案によれば、職人技を要せずして簡単かつ迅速、安全であって、しかも皺が生じないように畳表を交換することができて、手軽に畳表を日光に干したり、デザイン性の高い畳表に交換することができる。
【考案を実施するための最良の形態】
【００１４】
以下、本考案に係る畳の実施形態について図面を用いて説明する。図１は、本考案の第１の実施形態における畳１Ａにおいて畳表の一端部をめくり上げた状態を示す全体斜視図であり、図２はその正面図である。
【００１５】
本第１実施形態の畳１Ａは、畳床２と、この畳床２の上面に取り付けられる畳表３ａと、この畳表３ａを畳床２に着脱するためのスライドファスナー４と、畳床２および畳表３ａの各辺の端部を着脱自在に密着するためのマジックテープ５とを備えている。
【００１６】
畳床２は、図３にその平面図を示すように、略直方体形状に形成されて畳１Ａの土台の役割を果たすものである。この畳床２としては、稲ワラにより形成されるワラ床の他、ワラを全く使用しない建材床や、建材床の素材をワラで挟んだワラサンド床等が挙げられる。畳表３ａは、い草を経糸（たていと）で織り上げて作られており、図４にその底面図を示すように、畳床２の縦横寸法と略同一寸法に形成されている。なお、本第１実施形態では、畳１Ａの長手方向を経糸方向としている。
【００１７】
スライドファスナー４は、通常のスライドファスナー４と同様に、ファスナーの本体である左右１対を組み合わせてなるエレメント４２と、このエレメント４２の両側に取り付けられる一対のファスナーテープ４１，４１と、前記エレメント４２を噛み合わせるスライダー４３とから構成されている。そして、図２から図４に示すように、ファスナーテープ４１の一方が、畳表３ａの経糸方向における両端部の裏面に縫着され、他方のファスナーテープ４１が、畳床２の長さ方向における両端部の側面に縫着されている。これらファスナーテープ４１は、エレメント４２が畳表３ａの両端部の裏面位置に配置されるとともに、スライダー４３のスライド方向が経糸方向と直交するように縫着されている。このような位置にスライドファスナー４を取り付けることにより、経糸をしっかり直線状に引っ張ることができ、畳表３ａが伸びて皺にならない。
【００１８】
また、本第１実施形態におけるファスナーテープ４１は、図２に示すように、経糸方向における端部から中央側に向けて縫着され、途中から端部側へ折り返されてエレメント４２を端部側に向けて配置されている。スライドファスナー４の縫着範囲を大きくして強度を高めることと、ファスナーの開閉操作をし易くするためである。なお、本第１実施形態では、図３に示すように、スライダー４３や下止４４を畳床２側のファスナーテープ４１に取り付けているがこれに限らず、畳表３ａ側のファスナーテープ４１に取り付けてもよい。
【００１９】
マジックテープ５は、畳床２の各辺の端部上面と、畳表３ａの各辺の端部裏面に貼付されている。すなわち、経糸方向と平行な２辺については、畳床２の上面および畳表３ａの裏面に直接マジックテープ５が貼付され、経糸方向と直交する２辺については、互いに対向するファスナーテープ４１にマジックテープ５が貼付されている。畳表２が反り上がったりズレたりするのを防止する効果がある。なお、本第１実施形態では、マジックテープ５を用いているがこれに限られるものではなく、着脱が自在な面ファスナーであってもよい。
【００２０】
つぎに、上記構造を有する本第１実施形態の畳１Ａにおいて、畳表３ａを着脱する作業について図面を用いて説明する。
【００２１】
まず、畳床２に畳表３ａを取り付ける場合、図５（ａ）に示すように、畳床２の上に畳表３ａを重ねる。このとき、畳表３ａの経糸方向における両端部が、畳床２の長さ方向の両端部に一致するように配置する。そして、畳表３ａのエレメント４２と、畳床２のエレメント４２とを畳表３ａの裏側で合わせる。
【００２２】
畳表３ａおよび畳床２のそれぞれのエレメント４２を位置合わせした後、片側ずつスライドファスナー４を閉める。つまり、畳床２の一端部側のスライダー４３を操作して各エレメント４２を噛合させて片方のスライドファスナー４を閉じる。これにより、畳表３ａの一端部が畳床２の一端部と結合される。このとき、本第１実施形態では、図５（ａ）に示すように、畳表３ａ側のファスナーテープ４１は、経糸方向における端部から中央側に向けて縫着されるとともに、途中から端部側へ折り返されてエレメント４２を端部側に向けている。このため、ファスナーテープ４１は畳表３ａにしっかり縫着されるとともに、図５（ｂ）に示すように、畳表３ａの端部を適宜めくり上げられるので、スライドファスナー４の開閉操作が容易に行えるようになっている。
【００２３】
このように片側のスライドファスナー４を締結した後、反対側の畳表３ａの端部を経糸方向に引っ張って皺を伸ばし、もう一組のスライドファスナー４のエレメント４２を位置合わせする。そして、図５（ｃ）に示すようにその畳表３ａの他端部をめくり上げ、スライダー４３を操作することでスライドファスナー４を閉じる。これにより、両方の端部において畳表３ａと畳床２とが締結され、しかも経糸を緊張させた状態に適度に引っ張られて畳表３ａが畳床２に固着される。
【００２４】
両端部のスライドファスナー４を閉じた後、図５（ｄ）に示すように、めくり上げていた畳表３ａの端部を下方に降ろす。これにより、経糸方向における両端部に設けられた各マジックテープ５が互いに結合し、畳表３ａの両端部分がめくり上がるのを防止して平らにする。
【００２５】
さらに、畳表３ａの経糸方向と平行な２辺を表面から押圧することで、各辺に設けられたマジックテープ５が結合し、畳表３ａにおける経糸方向と平行な２辺も畳床２と密着するので、畳表３ａに皺やよれが生じない。
【００２６】
一方、畳表３ａを畳床２から取り外す場合、まず、畳表３ａの経糸方向における両端部を持ち上げる。すると、畳表３ａおよび畳床２の各両端部に設けられていたマジックテープ５が離脱し、スライドファスナー４が露出する。そして、スライダー４３を操作してスライドファスナー４を開くことで、経糸方向における両端部の結合を解除する。最後に、畳表３ａおよび畳床２の経糸方向と平行な２辺を結合しているマジックテープ５を離脱させることで、畳表３ａは完全に畳床２から取り外される。
【００２７】
以上のような本第１実施形態によれば、スライドファスナー４を畳表３ａの裏側に隠しながら開閉自在にしているので、畳１Ａの外観を損ねてしまうことがなく、畳表３ａを自由に着脱することができる。しかも経糸方向に展張するようにスライドファスナー４を設けているので、畳表３ａに皺ができない。
【００２８】
つぎに、本考案に係る畳の第２の実施形態について図面を用いて説明する。図６は、本考案の第２の実施形態である畳１Ｂを示す全体斜視図であり、図７は本第２実施形態における畳表３ｂを展開した状態の底面図である。なお、本第２実施形態の構成のうち、前述した第１実施形態の構成と同一若しくは相当する構成については同一の符号を付して再度の説明を省略する。
【００２９】
図６に示すように、本第２実施形態の畳１Ｂの特徴は、畳床２の長さ方向における両側面位置でスライドファスナー４の開閉を可能とする点にある。このため、畳表３ｂの経糸方向における両端部の裏面には、畳床２の長さ方向における両側面にまでスライドファスナー４のエレメント４２が垂れるようにファスナーテープ４１の一方を縫着し、他方のファスナーテープ４１を畳床２の長さ方向の両端部の側面に縫着している。また、図７に示すように、長手方向（経糸方向）における畳床２の端部上面の２辺と、これに対向する畳表３ｂの端部裏面の２辺にはマジックテープ５が取り付けられている。
【００３０】
このような構造を有する本第２実施形態の畳１Ｂにおいて、畳表３ｂを着脱する作業について図面を用いて説明する。
【００３１】
まず、畳床２に畳表３ｂを取り付ける場合、図８（ａ）に示すように、畳床２の上に畳表３ｂを重ねる。このとき、畳表３ｂの経糸方向における両端部が、畳床２の長さ方向の両端部に合わさるように配置する。畳表３ｂに縫着されたエレメント４２は、畳床２の長さ方向における端部側面に垂れ下げられ、畳床２に縫着されるエレメント４２は、畳床２の長さ方向における端部側面に配置される。つまり、両エレメント４２は畳床２の長さ方向における両端部側面位置で位置合わせされる。
【００３２】
畳表３ｂおよび畳床２の各エレメント４２を位置合わせした後、一方のスライダー４３を操作してエレメント４２を噛合させてスライドファスナー４を閉じる。これにより、畳表３ｂの経糸方向の一端部が結合される。つぎに、もう一方の畳表３ａの端部を経糸方向に引っ張り、他方の端部のスライドファスナー４をスライダー４３によって閉じる。これにより、図８（ｂ）に示すように、畳表３ｂの他端部が畳床２の他端部と結合し、畳表３ｂは適度に引っ張られた状態で皺もなく畳床２に固着される。
【００３３】
両端部のスライドファスナー４を閉じた後、図８（ｃ）に示すように、畳表３ｂの経糸方向と平行な２辺を上から押して、各辺に設けられたマジックテープ５と、畳床２の各辺に設けられたマジックテープ５とを係合する。これにより、畳表３ｂにおける経糸方向と平行な２辺も畳床２と密着するので、畳表３ｂが緩んで皺が発生するのを防止するようになっている。
【００３４】
一方、畳表３ｂを畳床２から取り外す場合、まず、畳床２の長さ方向における両端部の側面で結合しているスライドファスナー４を解除する。そして、畳床２および畳表３ｂの経糸方向と平行な２辺を結合しているマジックテープ５を離脱させることで、畳表３ｂを畳床２から取り外す。
【００３５】
以上のような本第２実施形態によれば、スライドファスナー４を畳床２の長さ方向における両端部の側面位置で開閉自在にしたので、スライドファスナー４の操作がし易く、簡単に畳表３ｂを交換できる。また、経糸方向に畳表３ｂを引っ張って展張させるため、皺が生じない。
【００３６】
つぎに、本考案に係る畳の第３の実施形態について図面を用いて説明する。図９は、本考案の第３の実施形態である畳１Ｃを示す全体斜視図であり、図１０は、本第３実施形態における畳表３ｃを展開した状態での底面図である。なお、本第３実施形態の構成のうち、前述した各実施形態の構成と同一若しくは相当する構成については同一の符号を付して再度の説明を省略する。
【００３７】
図９に示すように、本第３実施形態の畳１Ｃの特徴は、畳床２の底面でスライドファスナー４の開閉を可能とする点にある。そのため、畳表３ｃの経糸方向の長さを、畳床２の長さ方向の表面および長さ方向の両端部の側面を覆うことができる長さに形成すると共に、畳表３ｃの経糸と直交する方向の長さを、畳床２の幅方向の表面および幅方向の両端部の側面を覆うことができる長さに形成している。
【００３８】
そして、畳表３ｃの経糸方向の両端部裏面にスライドファスナー４を構成するファスナーテープ４１の一方を縫着すると共に、他方のファスナーテープ４１を畳床２の裏面に縫着している。また、図１０に示すように、畳表３ｃの経糸に直交する方向の両端部裏面およびこれに対応する畳床２の幅方向の両端側面にはマジックテープ５が取り付けられている。
【００３９】
このような構造を有する本第３実施形態の畳１Ｃにおいて、畳表３ｃを着脱する作業について図面を用いて説明する。
【００４０】
まず、畳床２に畳表３ｃを取り付ける場合、図１１（ａ）に示すように、畳床２の上に畳表３ｃを重ね、畳表３ｃの各端部が、畳床２の各端部に一致するように配置する。畳表３ｃを畳床２の各端縁に沿って折り曲げて、図１１（ｂ）に示すように、畳表３ｃ側のエレメント４２が、畳床２の底面において畳床２側のエレメント４２と対向するようになっている。
【００４１】
畳床２の底面で各エレメント４２を位置合わせした後、片方のスライダー４３を操作して各エレメント４２を噛合し、スライドファスナー４を閉じる。これにより、畳表３ｃと畳床２とが結合される。つぎに、畳表３ｃの他端部を引っ張って畳床２の端部に沿って折り曲げて、畳床２の底面で各エレメント４２を対向させる。そして、スライダー４３を操作することでスライドファスナー４を閉じ、図１１（ｃ）に示すように、畳表３ｃの他端部と畳床２の他端部とが結合し、畳表３ｃは適度に引っ張られた状態で畳床２に固着される。
【００４２】
つづいて、図１１（ｄ）に示すように、畳表３ｃの経糸方向と直交する方向における両端部を折り曲げて、畳床２の幅方向の両端部側面を被覆する。そして、その両端部を表面側から押して畳表３ｃと畳床２とをマジックテープ５で係合させる。これにより、畳表３ｃにおける経糸方向と平行な２辺も畳床２と密着し、畳表３ｃが緩んで皺が発生するのを防止する。
【００４３】
一方、畳表３ｃを畳床２から取り外す場合、まず、畳床２の底面で閉じられているスライドファスナー４をそれぞれ解除し、幅方向の両端におけるマジックテープ５を離脱して畳表３ｃを畳床２から取り外す。
【００４４】
以上のような本第３実施形態によれば、畳表３ｃの寸法を畳床２の全側面まで覆うことができる大きさに形成するとともに、スライドファスナー４を畳床２の長さ方向における両端部の裏面位置で開閉自在にしたので、畳表３ｃを取り付けた状態での畳１Ｃの美観が高く、畳表３ｃを容易に着脱できる。また、経糸を経糸方向にスライドファスナー４で引っ張るので畳表３ｃに皺が生じにくくできる。
【００４５】
なお、本考案に係る畳は、前述した各実施形態に限定されるものではなく、適宜変更することができる。
【００４６】
例えば、前述した各実施形態では、畳縁６のない畳について説明しているが、これに限られるものではなく、容易に着脱可能な畳縁６を取り付けるようにしてもよい。ここで、第１もしくは第２の実施形態のように、畳床２の側面が露出している畳１Ａ，１Ｂに取り付け可能な畳縁６の例を以下に示す。
【００４７】
図１２は、第１実施形態の畳１Ａに畳縁６ａを取り付けた全体斜視図である。この畳縁６ａは、畳床２に縫着されており、畳表３ａとマジックテープ５によって接着される。畳縁６ａの下部分６１は、畳床２の長さ方向に沿った両縁部の側面に縫着され、畳縁６ａの上部分６２の内側面には、マジックテープのループ側あるいはカギ側が取り付けられる。そして、これに対応する畳表３ａの両縁部表面に他方のマジックテープ５を取り付けるようになっている。この畳縁６ａによれば、畳表３ａを取り付けた後、上部分６２を折り返して畳表３ａのマジックテープ５と結合させるだけで容易に取り付けることができる。
【００４８】
また、図１３は、第２実施形態の畳１Ｂに畳縁６ｂの他の例を取り付けた全体斜視図である。この畳縁６ｂは、畳表３ｂに縫着されており、畳床２の側面にマジックテープ５によって接着される。畳縁６ｂの上部分６２は、畳表３ｂの経糸に平行な両端部の上面に縫着すると共に、その下部分６１における内側面には、マジックテープ５が取り付けられる。そして、これに対応する畳床２の両縁部側面にマジックテープ５を取り付けられている。これにより畳表３ｂを取り付けた後、下部分６１を折り返して畳床２のマジックテープ５と結合させるだけで容易に取り付けることができる。
【図面の簡単な説明】
【００４９】
【図１】本考案に係る畳の第１実施形態を示す全体斜視図である。
【図２】本第１実施形態の畳を示す正面図である。
【図３】本第１実施形態の畳床の平面図である。
【図４】本第１実施形態の畳表の底面図である。
【図５】本第１実施形態の畳の使用方法を示す説明図である。
【図６】本考案に係る畳の第２実施形態を示す全体斜視図である。
【図７】本第２実施形態の畳表の底面図である。
【図８】本第２実施形態の畳の使用方法を示す説明図である。
【図９】本考案に係る畳の第３実施形態を示す全体斜視図である。
【図１０】本第３実施形態の畳表の底面図である。
【図１１】本第３実施形態の畳の使用方法を示す説明図である。
【図１２】本第１実施形態の畳に畳縁の一例を取り付けた状態を示す全体斜視図である。
【図１３】本第２実施形態の畳に畳縁の他の例を取り付けた状態を示す全体斜視図である。
【符号の説明】
【００５０】
１Ａ，１Ｂ，１Ｃ  畳
２  畳床
３ａ，３ｂ，３ｃ  畳表
４  スライドファスナー
５  マジックテープ
６ａ，６ｂ  畳縁
４１  ファスナーテープ
４２  エレメント
４３  スライダー
４４  下止
６１  畳縁の下部分
６２  畳縁の上部分
【図１】
0003101252.tif 000003
【図２】
0003101252.tif 000004
【図３】
0003101252.tif 000005
【図４】
0003101252.tif 000006
【図５】
0003101252.tif 000007
【図６】
0003101252.tif 000008
【図７】
0003101252.tif 000009
【図８】
0003101252.tif 000010
【図９】
0003101252.tif 000011
【図１０】
0003101252.tif 000012
【図１１】
0003101252.tif 000013
【図１２】
0003101252.tif 000014
【図１３】
0003101252.tif 000015
【手続補正書】
【提出日】平成15年11月21日(2003.11.21)
【手続補正１】
【補正対象書類名】実用新案登録請求の範囲
【補正対象項目名】全文
【補正方法】変更
【補正の内容】
【実用新案登録請求の範囲】
【請求項１】
畳床と、この畳床の上面に取り付けられる畳表とを有しており、この畳表を構成する経糸（たていと）方向における両端部の裏面に、スライドファスナーを構成するファスナーテープの一方を縫着すると共に、他方のファスナーテープを畳床の長さ方向における両端部の側面に縫着して前記畳表の両端部裏面位置で前記スライドファスナーの開閉を可能とし、かつ、畳床の各辺の端部上面と畳表の各辺の端部裏面とを面ファスナーによって着脱自在に密着することを特徴とする交換容易な畳表を備えた畳。
【請求項２】
請求項１において、畳表に縫着したファスナーテープは、前記畳表の経糸方向における端部から中央側に向けて縫着され、途中から端部側へ折り返されてスライドファスナーのエレメントを端部側に向けて配置されていることを特徴とする交換容易な畳表を備えた畳。
【請求項３】
畳床と、この畳床の上面に取り付けられる畳表とを有しており、この畳表の経糸方向における両端部の裏面から畳床の長さ方向における両側面にスライドファスナーのエレメントが垂れるように一方のファスナーテープを前記畳表の両端部裏面に縫着し、他方のファスナーテープを畳床の長さ方向の両端部の側面に縫着し、この畳床の両側面位置で前記スライドファスナーの開閉を可能とし、かつ、畳床の各辺の端部上面と畳表の各辺の端部裏面とを面ファスナーによって着脱自在に密着することを特徴とする交換容易な畳表を備えた畳。
【請求項４】
請求項１から請求項３のいずれかにおいて、畳床の長さ方向に沿った両縁部の側面に、畳縁（たたみべり）の下部分を縫着すると共に、この畳縁の上部分の内側面およびこれに対応する畳表の両縁部表面に面ファスナーを取り付けて畳縁を取り付けるようにしたことを特徴とする交換容易な畳表を備えた畳。
【請求項５】
請求項１から請求項３のいずれかにおいて、畳縁の上部分を畳表の経糸に平行な両端部の上面に縫着し、その畳縁の下部分における内側面およびこれに対応する畳床の両縁部側面に面ファスナーを取り付けて畳縁を取り付けるようにしたことを特徴とする交換容易な畳表を備えた畳。
【請求項６】
畳床と、この畳床に取り付けられる畳表とを有しており、この畳表の経糸方向の長さを、畳床の長さ方向の表面および長さ方向の両端部の側面を覆うことができる長さに形成すると共に、畳表の経糸と直交する方向の長さを、畳床の幅方向の表面および幅方向の両端部の側面を覆うことができる長さに形成し、前記畳表の経糸方向の両端部裏面にスライドファスナーの一方のファスナーテープを縫着し、他方のファスナーテープを畳床の裏面に縫着し、この畳床の裏面位置で前記スライドファスナーの開閉を可能とし、かつ、前記畳表の経糸に直交する方向の両端部裏面およびこれに対応する畳床の幅方向両端側面とを面ファスナーによって着脱自在に密着することを特徴とする交換容易な畳表を備えた畳。
【手続補正２】
【補正対象書類名】明細書
【補正対象項目名】０００７
【補正方法】変更
【補正の内容】
【０００７】
本考案に係る畳の特徴は、畳床と、この畳床の上面に取り付けられる畳表とを有しており、この畳表を構成する経糸（たていと）方向における両端部の裏面に、スライドファスナーを構成するファスナーテープの一方を縫着すると共に、他方のファスナーテープを畳床の長さ方向における両端部の側面に縫着して前記畳表の両端部裏面位置で前記スライドファスナーの開閉を可能とし、かつ、畳床の各辺の端部上面と畳表の各辺の端部裏面とを面ファスナーによって着脱自在に密着する点にある。
【手続補正３】
【補正対象書類名】明細書
【補正対象項目名】０００９
【補正方法】変更
【補正の内容】
【０００９】
また、本考案に係る畳の特徴は、畳床と、この畳床の上面に取り付けられる畳表とを有しており、この畳表の経糸方向における両端部の裏面から畳床の長さ方向における両側面にスライドファスナーのエレメントが垂れるように一方のファスナーテープを前記畳表の両端部裏面に縫着し、他方のファスナーテープを畳床の長さ方向の両端部の側面に縫着し、この畳床の両側面位置で前記スライドファスナーの開閉を可能とし、かつ、畳床の各辺の端部上面と畳表の各辺の端部裏面とを面ファスナーによって着脱自在に密着する点にある。
【手続補正４】
【補正対象書類名】明細書
【補正対象項目名】００１０
【補正方法】変更
【補正の内容】
【００１０】
また、本考案において、畳床の長さ方向に沿った両縁部の側面に、畳縁（たたみべり）の下部分を縫着すると共に、この畳縁の上部分の内側面およびこれに対応する畳表の両縁部表面に面ファスナーを取り付けて畳縁を取り付けるようにしてもよい。
【手続補正５】
【補正対象書類名】明細書
【補正対象項目名】００１１
【補正方法】変更
【補正の内容】
【００１１】
さらに、本考案において、畳縁の上部分を畳表の経糸に平行な両端部の上面に縫着しておき、その畳縁の下部分における内側面およびこれに対応する畳床の両縁部側面に面ファスナーを取り付けて畳縁を取り付けるようにしてもよい。
【手続補正６】
【補正対象書類名】明細書
【補正対象項目名】００１２
【補正方法】変更
【補正の内容】
【００１２】
また、本考案に係る畳の特徴は、畳床と、この畳床に取り付けられる畳表とを有しており、この畳表の経糸方向の長さを、畳床の長さ方向の表面および長さ方向の両端部の側面を覆うことができる長さに形成すると共に、畳表の経糸と直交する方向の長さを、畳床の幅方向の表面および幅方向の両端部の側面を覆うことができる長さに形成し、前記畳表の経糸方向の両端部裏面にスライドファスナーの一方のファスナーテープを縫着し、他方のファスナーテープを畳床の裏面に縫着し、この畳床の裏面位置で前記スライドファスナーの開閉を可能とし、かつ、前記畳表の経糸に直交する方向の両端部裏面およびこれに対応する畳床の幅方向両端側面とを面ファスナーによって着脱自在に密着する点にある。
【手続補正７】
【補正対象書類名】明細書
【補正対象項目名】００１５
【補正方法】変更
【補正の内容】
【００１５】
本第１実施形態の畳１Ａは、畳床２と、この畳床２の上面に取り付けられる畳表３ａと、この畳表３ａを畳床２に着脱するためのスライドファスナー４と、畳床２および畳表３ａの各辺の端部を着脱自在に密着するための面ファスナー５、本第１実施形態ではマジックテープ５（株式会社クラレの登録商標）とを備えている。
【手続補正８】
【補正対象書類名】明細書
【補正対象項目名】００５０
【補正方法】変更
【補正の内容】
【００５０】
１Ａ，１Ｂ，１Ｃ  畳
２  畳床
３ａ，３ｂ，３ｃ  畳表
４  スライドファスナー
５  面ファスナー（マジックテープ）
６ａ，６ｂ  畳縁
４１  ファスナーテープ
４２  エレメント
４３  スライダー
４４  下止
６１  畳縁の下部分
６２  畳縁の上部分